(57)【要約】      （修正有）【課題】販売態様から使用態様への変形作業の煩雑さを低減できる包装箱を提供する。【解決手段】包装箱１は、販売対象の商品を収容するとともに、商品を上部に配置可能な収容部品３と、複数の突出部５１１，５１２を有し、複数の突出部５１１，５１２を挿入して収容部品３に取り付ける装飾部品５とを備えている。装飾部品５は、収容部品３の背面側に取り付けられる背景部材５１を有する。【選択図】図５
0003203282.tif 000002
【実用新案登録請求の範囲】
【請求項１】
販売対象の商品を収容するとともに、前記商品を上部に配置可能な収容部品と、
複数の突出部を有し、前記複数の突出部を挿入して前記収容部品に取り付ける装飾部品と
を備える包装箱。
【請求項２】
前記装飾部品は、前記複数の突出部が設けられ前記収容部品の背面側に取り付けられる背景部材を有する
請求項１に記載の包装箱。
【請求項３】
前記収容部品は、前記収容部品の内側を視認可能に開口する開口部を有し、
前記装飾部品は、前記収容部品に取り付けて前記内側が視認されないように前記開口部を遮蔽する遮蔽部材を有する
請求項２に記載の包装箱。
【請求項４】
前記装飾部品は、前記背景部材と前記遮蔽部材とを接続する接続部材を有する
請求項３に記載の包装箱。
【請求項５】
前記装飾部品は、
前記接続部材と前記背景部材との境界に設けられ前記接続部材に対して前記背景部材を折り曲げる第一折曲部と、
前記接続部材と前記遮蔽部材との境界に設けられ前記接続部材に対して前記遮蔽部材を折り曲げる第二折曲部とを有し、
前記接続部材は、前記第一折曲部及び前記第二折曲部に並列して設けられて前記接続部材を折り曲げる第三折曲部を有する
請求項４に記載の包装箱。
【請求項６】
前記収容部品は、前記上部に配置される中敷部材を有し、
前記中敷部材は、前記装飾部品に関連する関連商品を前記収容部品に保持する保持部を有する
請求項１から５までのいずれか一項に記載の包装箱。
【請求項７】
前記商品は、大きさの異なる平たい球状の２つの餅を重ね合わせた形状を模した餅入り容器であり、
前記関連商品は、橙の役割を有し、
前記収容部品は、三方の役割を有し、
前記装飾部品は、屏風の役割を有する
請求項６に記載の包装箱。
【考案の詳細な説明】
【技術分野】
【０００１】
本考案は、販売対象の商品を包装する包装箱に関する。
【背景技術】
【０００２】
収納物品を輸送箱から取り出して、そのまま店頭または家庭において商品の陳列ケースとして使用できる陳列兼用包装箱が知られている（例えば特許文献１）。また、１個の箱で鏡餅を収納する箱と三方を兼用し、包装箱から三方に変形できる鏡餅用包装箱が知られている（例えば特許文献２）このような陳列兼用包装箱や鏡餅用包装箱は、販売などの販売態様から店頭での見本や家庭で使用する使用態様に変形するための作業が煩雑であるという問題を有している。
【先行技術文献】
【特許文献】
【０００３】
【特許文献１】特開２００１−１０６３２号公報
【特許文献２】実公平２−３５６５８号公報
【考案の概要】
【考案が解決しようとする課題】
【０００４】
本考案の目的は、販売態様から使用態様への変形作業の煩雑さを低減できる包装箱を提供することにある。
【課題を解決するための手段】
【０００５】
本考案の一態様による包装箱は、販売対象の商品を収容するとともに、前記商品を上部に配置可能な収容部品と、複数の突出部を有し、前記複数の突出部を挿入して前記収容部品に取り付ける装飾部品とを備えることを特徴とする。
【考案の効果】
【０００６】
本考案の一態様によれば、販売態様から使用態様への変形作業の煩雑さを低減できる。
【図面の簡単な説明】
【０００７】
【図１】本考案の一実施形態による包装箱１を正面右上方から見た外観斜視図であり、図１（ａ）は、包装箱１の販売態様を示す外観斜視図であり、図１（ｂ）は、包装箱１の使用態様を示す外観斜視図である。
【図２】本考案の一実施形態による包装箱１に備えられた収容部品３を背面左上方から見た外観斜視図であり、図２（ａ）は、収容部品３に関連商品９を収容した状態の収容部品３の外観斜視図であり、図２（ｂ）は、収容部品３から関連商品９を取り出した状態の収容部品３の外観斜視図である。
【図３】本考案の一実施形態による包装箱１に備えられた収容部品３を背面左上方から見た外観斜視図であり、図３（ａ）は、収容部品３に商品７を収容した状態の収容部品３の外観斜視図であり、図３（ｂ）は、収容部品３から商品７を取り出した状態の収容部品３の外観斜視図である。
【図４】本考案の一実施形態による包装箱１に備えられた装飾部品５の概略構成を示す外観斜視図であり、図４（ａ）は、折り畳まれた状態の装飾部品５の外観斜視図であり、図４（ｂ）は、伸ばされた状態の装飾部品５の外観斜視図であり、図４（ｃ）は、収容部品３に取り付けられる状態の装飾部品５の外観斜視図である。
【図５】本考案の一実施形態による包装箱１を販売態様から使用態様に変更する方法を説明する図であり、図５（ａ）は、装飾部品５の背景部材５１を収容部品３に取り付ける方法を説明する図であり、図５（ｂ）は、装飾部品５の遮蔽部材５２を収容部品３に取り付ける方法を説明する図である。
【考案を実施するための形態】
【０００８】
本考案の一実施形態による包装箱について図１から図５を用いて説明する。本実施形態による包装箱１は、販売時に販売対象の商品やこの商品を収容する収容部品を用いて鏡餅を形成できるようになっている。
【０００９】
図１（ａ）に示すように、本実施形態による包装箱１は、販売対象の商品７を収容するとともに、商品７を上部に配置可能な収容部品３と、複数の突出部５１１，５１２（図１（ａ）では不図示）を有し、複数の突出部５１１，５１２を挿入して収容部品３に取り付ける装飾部品５（図１（ｂ）参照、詳細は後述する）とを備えている。収容部品３は、立方体形状を有している。収容部品３は、紙で形成されている。収容部品３は、販売時には商品７や容器部材３７１ｂに入れられた関連商品９（いずれも詳細は後述）などを収容している。
【００１０】
収容部品３は、収容部品３の上部を開閉可能に設けられた蓋部３１と、蓋部３１が接続された正面部３２と、正面部３２に対向して配置された背面部３４（図１では不図示）とを有している。また、収容部品３は、蓋部３１に対向して配置される底面部３６と、正面部と背面部３４との間に配置された右側面部３３と、正面部３２と背面部３４との間であって右側面部３３に対向して配置された左側面部３５とを有している。
【００１１】
収容部品３は、収容部品３の内側を視認可能に開口する開口部３２１を有している。開口部３２１は、正面部３２と蓋部３１とに跨って設けられている。このため、包装箱１は、収容部品３の上方及び前方の少なくとも一方から収容部品３に収容された商品７を購入者や販売者が見ることができるように構成されている。開口部３２１は、包装箱１の購入者や販売者が収容部品３に収容されている商品７がどのような商品であるのかを認識できる大きさに形成されている。包装箱１では、開口部３２１は、商品７に加えて関連商品９がどのような商品であるのかを、包装箱１の購入者や販売者が認識できる大きさに形成されている。これにより、購入者は、収容部品３の表面に表された画や写真ではなく、実際に収容部品３に収容された商品７や関連商品９を確認して包装箱１を購入することができる。
【００１２】
収容部品３は、開口部３２１を塞ぐ透明部材３２２を有している。透明部材３２２は、収容部品３の内側を購買者や販売者が視認できる状態で開口部３２１を塞いでいる。透明部材３２２は、例えばフィルム状の樹脂で形成されている。包装箱１は、開口部３２１を塞ぐ透明部材３２２を有することにより、購入者や販売者が収容部品３に収容された商品７などを見ることはできるものの、触れることはできないようになっている。
【００１３】
蓋部３１は、収容部品３の上部に設けられ商品７が出し入れされる開放端を開閉可能に設けられている。蓋部３１は、複数の突出部５１１，５１２のうちの一部である突出部５１１が挿入される挿入部（第一挿入部の一例）３１１を有している。また、収容部品３は、複数の突出部５１１，５１２のうちの残部である突出部５１２が挿入される挿入部（第二挿入部の一例）３１２を有している。
【００１４】
また、収容部品３に設けられた正面部３２は、装飾部品５に設けられた遮蔽突出部５２１（図１では不図示、詳細は後述する）が挿入される挿入部（第三挿入部の一例）３２３を有している。挿入部３２３は、正面部３２と底面部３６との境界に接して設けられている。
【００１５】
複数の突出部５１１，５１２は、装飾部品５に設けられている。突出部５１１が挿入部３１１に挿入され、突出部５１２が挿入部３１２に挿入され、遮蔽突出部５２１が挿入部３２３に挿入されることにより、装飾部品５は収容部品３に取り付けられる。このように、挿入部３１１、挿入部３１２及び挿入部３２３は、装飾部品５を収容部品３に取り付けるために設けられている。
【００１６】
詳細は後述するが、収容部品３には、中敷部材３７（図１では不図示、詳細は後述する）を収容部品３の上部に配置するための挿入部３８１が設けられている。
【００１７】
図１（ｂ）に示すように、包装箱１は、使用態様において、商品７や関連商品９などを展示する展示台として収容部品３を用いるようになっている。包装箱１は、複数の突出部５１１，５１２（図１（ｂ）では不図示）を挿入して収容部品３に取り付ける装飾部品５を備えている。装飾部品５は、複数の突出部５１１，５１２が設けられ収容部品３の背面側に取り付けられる背景部材５１と、収容部品３に取り付けて内側が視認されないように開口部３２１（図１（ａ）参照）を遮蔽する遮蔽部材５２と、背景部材５１と遮蔽部材５２とを接続する接続部材５３とを有している。装飾部品５は、正面部３２及び収容部品３の上部に跨って収容部品３に取り付けられる。接続部材５３は、収容部品３の上部、すなわち蓋部３１の上方に配置される。包装箱１は、収容部品３の上部に相当する蓋部３１上に、装飾部品５、商品７及び関連商品９を配置させるようになっている。
【００１８】
関連商品９は、装飾部品５に関連する商品である。本実施形態では、関連商品９は、装飾部品５の背景部材５１に表示されている絵に関連する商品となっている。具体的には、関連商品９は、背景部材５１に表された３種類の猫のキャラクターのうちのいずれか１つの猫のキャラクター人形である。また、包装箱１は、装飾部品５の背景部材５１だけでなく、収容部品３の右側面部３３及び左側面部３５（図１では不図示、図３参照）にも猫のキャラクターが表示されている。また、包装箱１は、装飾部品５の背景部材５１だけでなく、遮蔽部材５２にも猫のキャラクターが表されていたり猫のキャラクターの名称などのロゴマークなどが表されていたりしてもよい。さらに、包装箱１は、蓋部３１や正面部３２にも猫のキャラクターが表されたり猫のキャラクターの名称などのロゴマークが表されたりしていてもよい。
【００１９】
このように、包装箱１は、装飾部品５、関連商品９及び販売時や使用時に見えやすい収容部品３の表面には、統一された画、文字又は模様などが表されたり形取られたりしている。一方、包装箱１は、収容部品３の背面部３４や底面部３６などの使用時に見えにくい表面には、包装箱１の組み立て方法（詳細は後述）や商品の成分表などの情報が表示される。これにより、包装箱１は、販売時には成分表などの必要な情報を購買者に提供しつつ、使用時には商品の成分表などの不要な情報を使用者に見せずに商品７、装飾部品５、関連商品９及び収容部品３によって統一感のある美観を与えることができる。
【００２０】
また、収容部品３の内側は何の装飾もされていない。このため、収容部品３を展示台として使用する際に収容部品３の内側が見えてしまうと、使用態様における包装箱１の美観が損なわれてしまう。しかしながら、包装箱１は、開口部３２１を通して見える収容部品３の内側を装飾部品５によって包装箱１の使用者に見えないように遮蔽できる。これにより、包装箱１は、使用時に美観が損なわれるのを防止できる。
【００２１】
本実施形態による包装箱１は鏡餅を構成しており、商品７は、大きさの異なる平たい球状の２つの餅を重ね合わせた形状を模した餅入り容器（以下、「餅型容器」と称する）であり、猫のキャラクター人形の関連商品９は橙の役割を有し、収容部品３は三方の役割を有し、装飾部品５は屏風の役割を有するようになっている。なお、装飾部品５は、後述する背景部材が扇の形状に形成され、扇の役割を有するようになっていてもよい。また、収容部品３には、水引７１も収容されている。図１（ｂ）に示すように、餅型容器の所定の場所に水引７１を取り付けて、包装箱１を鏡餅の態様とすることができる。
【００２２】
また、図１（ａ）に示すように、収容部品３は、販売態様において、収容部品３の上部（すなわち蓋部３１上）に商品７及び関連商品９を配置した状態と同様の態様で商品７及び関連商品９を収容するようになっている。これにより、包装箱１は、販売時に使用態様を購買者に想起させることができる。例えば包装箱１は、収容部品３の内部で商品７の上方に関連商品９を配置した販売態様とすることにより、餅型容器の上に猫のキャラクター人形を配置した状態、すなわち図１（ｂ）に示す使用態様を想起させることができる。
【００２３】
次に、包装箱１の詳細な構成について、図１を参照しつつ図２から図４を用いて説明する。
図２（ａ）に示すように、収容部品３は、収容部品３の上部に配置される中敷部材３７を有している。中敷部材３７は、収容部品３の開放端を開状態（商品７などが出し入れ可能になる状態）となるように蓋部３１を開けると、この開放端に露出するようになっている。つまり、中敷部材３７は、包装箱１の販売態様及び使用態様のいずれの態様でも、収容部品３の開放端側に折り返され、この開放端において蓋部３１の下方に配置される。
【００２４】
中敷部材３７は、収容部品３の右側面部３３及び左側面部３５のいずれか一方に接続されている。本実施形態では、中敷部材３７は、右側面部３３に対して折り曲げ可能に右側面部３３の端部に接続されている。中敷部材３７は、一の端部で右側面部３３に接続されている。中敷部材３７は、この一の端部に対向する他の端部から突出して中敷部材３７に対して折り曲げ可能に設けられた中敷突出部３７３（図３参照）を有している。
【００２５】
中敷部材３７は、装飾部品５（図２では不図示）に関連する関連商品９を収容部品３に保持する保持部３７１を有している。図２（ｂ）に示すように、保持部３７１は、一端が開放されて関連商品９を入れる器部３７１ｂ−１と、この一端の周囲に設けられた鍔部３７１ｂ−２とを有する容器部材３７１ｂを有している。さらに、保持部３７１は、器部３７１ｂ−１より大きくかつ鍔部３７１ｂ−２よりも小さく形成され中敷部材３７を開口する中敷開口部３７１ａを有している。
【００２６】
容器部材３７１ｂは、鍔部３７１ｂ−２が設けられた一端から関連商品９を出し入れできるようになっている。器部３７１ｂ−１は、関連商品９を入れることができる大きさに形成されている。また、器部３７１ｂ−１は、包装箱１を揺すったり引っ繰り返したりしても器部３７１ｂ−１の内部で関連商品９の向きが変わらない大きさに形成されている。容器部材３７１ｂは透明の樹脂で形成されている。このため、容器部材３７１ｂは、器部３７１ｂ−１の壁面を通して器部３７１ｂ−１に入れられた関連商品９が見えるようになっている。
【００２７】
図２（ａ）に示すように、中敷開口部３７１ａに器部３７１ｂ−１を挿入すると、鍔部３７１ｂ−２が中敷部材３７に引っ掛かる。これにより、保持部３７１は、器部３７１ｂ−１を収容部品３の内側であって開口部３２１から見える位置に配置した状態で容器部材３７１ｂを保持できる。その結果、包装箱１は、販売態様において、包装箱１の購入者や販売者に関連商品９を視認させることができる。また、容器部材３７１ｂは、器部３７１ｂ−１を中敷開口部３７１ａに挿入するだけで中敷部材３７に設置でき、鍔部３７１ｂ−２を摘まんで引き上げるだけで中敷部材３７から取り出すことができる。このように、中敷部材３７への容器部材３７１ｂの着脱は極めて容易である。また、容器部材３７１ｂは、蓋部３１が収容部品３の開放端を閉状態（商品７などが出し入れ不可能になる状態）となるように閉じられると、蓋部３１によって一端が塞がれた状態で中敷部材３７に押さえつけられる。これにより、包装箱１は、販売態様において包装箱１の購入者や販売者に揺すられたり引っ繰り返されたりしても容器部材３７１ｂが中敷部材３７から外れたり関連商品９が容器部材３７１ｂから飛び出したりするのを防止できる。
【００２８】
中敷部材３７は、正面部３２側が切り欠かれて形成された切欠部３７２を有している。切欠部３７２は、収容部品３の開放端を塞ぐために蓋部３１が収容部品３の上方に配置された場合に、蓋部３１の開口部３２１と重なる領域に設けられている。切欠部３７２は、蓋部３１の開口部３２１よりも一回り大きく形成されている。これにより、包装箱１は、販売態様において、収容部品３に収容された商品７や関連商品９を蓋部３１側から包装箱１の購入者や販売者に視認させることができる。
【００２９】
収容部品３は、右側面部３３及び左側面部３５のいずれか他方に接続されたフラップ部３８を有している。包装箱１では、フラップ部３８は、左側面部３５に対して折り曲げ可能に左側面部３５の端部に接続されている。フラップ部３８は、中敷突出部３７３が挿入される挿入部（第四挿入部の一例）３８１を有している。フラップ部３８は、包装箱１の販売態様及び使用態様のいずれの状態でも、収容部品３の開放端側に折り返され、この開放端において中敷部材３７の下方に配置される。中敷部材３７の中敷突出部３７３は、フラップ部３８の上方から挿入部３８１に挿入される。
【００３０】
図２（ａ）及び図２（ｂ）に示すように、蓋部３１は、背面部の側（すなわち背面部３４側）で収容部品３の内部に差し込まれる蓋差込部３１３を有している。蓋部３１の一の端部は、収容部品３の正面部３２に対して折り曲げ可能に正面部３２の端部に接続されている。蓋差込部３１３は、蓋部３１の一の端部に対向する他の端部に蓋部３１に対して折り曲げ可能に接続されている。装飾部品５の背景部材５１に設けられた２つの突出部５１２（図４参照）が挿入される挿入部３１２（図１参照）は、蓋差込部３１３と背面部３４との間に設けられる。より具体的に、蓋部３１が収容部品３の開放端を塞ぐために蓋差込部３１３が背面部３４側で収容部品３の内部に差し込まれたときに、蓋差込部３１３と背面部３４とが対面する領域が挿入部３１２となる。
【００３１】
次に、収容部品３での商品７及び装飾部品５の収容状態について図３を用いて説明する。図３（ｂ）では、理解を容易にするため、収容部品３が透過されて図示されている。なお、図３（ｂ）では、収容部品３が透過されている図示されていることが二点鎖線により表されている。
【００３２】
図３（ａ）に示すように、収容部品３は、蓋部３１、中敷部材３７及びフラップ部３８を外側に向けて傾斜した状態とすることにより、収容している商品７が取り出されることができるように構成されている。商品７は、収容部品３の内部で底面部３６（図３（ｂ）参照）上に配置されて収容される。
【００３３】
図３（ｂ）に示すように、収容部品３は、装飾部品５を平置きにした状態で底面部３６上に収容するようになっている。装飾部品５は、底面部３６の面積よりも小さくなるように折り畳まれて収容部品３に収容される。図示は省略するが、商品７は、装飾部品５を下敷きにして底面部３６上に配置され、収容部品３に収容される。
【００３４】
次に、装飾部品５の構成について図４を用いて説明する。
図４（ａ）及び図４（ｂ）に示すように、装飾部品５は、接続部材５３と背景部材５１との境界に設けられ接続部材５３に対して背景部材５１を折り曲げる折曲部（第一折曲部の一例）５４と、接続部材５３と遮蔽部材５２との境界に設けられ接続部材５３に対して遮蔽部材５２を折り曲げる折曲部（第二折曲部の一例）５５とを有している。接続部材５３は、折曲部５４及び折曲部５５に並列して設けられて接続部材５３を折り曲げる折曲部（第三折曲部の一例）５３１を有している。折曲部５４、折曲部５５及び折曲部５３１は、ほぼ平行に設けられている。折曲部５３１は、折曲部５４、折曲部５５及び折曲部５３１において装飾部品５を折り曲げたときに、背景部材５１及び接続部材５３が遮蔽部材５２のサイズ内に収まるように設けられている。これより、複数の突出部５１１，５１２が不用意に折れてしまうのを防止できる。
【００３５】
装飾部品５は、折曲部５４、折曲部５５及び折曲部５３１で蛇腹折りに折り畳まれた状態で収容部品３に収容される（図３（ｂ）及び図４（ａ）参照）。背景部材５１の猫のキャラクターの画が表されている面を上側に向けた場合、装飾部品５は、折曲部５４及び折曲部５５を山折りとし、折曲部５３１を谷折りとして折り畳まれて収容部品３に収容される。
【００３６】
背景部材５１は、装飾部品５の中で最も装飾が施されている領域である。本実施形態では、包装箱１の使用態様において商品７及び関連商品９側に向けられる背景部材５１の面には、複数の猫のキャラクターの画が表されている。また、背景部材５１の上端部は、猫のキャラクターの顔の形状に倣う波型形状に形成されている。
【００３７】
接続部材５３が設けられた側の背景部材５１の端部には、複数の突出部５１１，５１２が設けられている。背景部材５１のこの端部において、突出部５１１はほぼ中央に配置され、２つの突出部５１２は、突出部５１１を挟んで両側に配置されている。複数の突出部５１１，５１２は、背景部材５１の猫のキャラクターの画が表された領域に対して折り曲がらないように、この領域と一体に形成されている。突出部５１１と突出部５１２との間に折曲部５４が設けられている。
【００３８】
図４（ｃ）に示すように、接続部材５３は、複数の突出部５１１，５１２の外形に倣う形状に切り欠かれた複数の切欠部５３２，５３３を有している。切欠部５３２は、突出部５１１の外形に倣う形状に形成され、切欠部５３３は突出部５１２の外形に倣う形状に形成されている。複数の突出部５１１，５１２及び複数の切欠部５３２，５３３は、装飾部品５が形成される台紙のうち接続部材５３が形成される所定の領域に所定の切れ目を入れることにより形成される。複数の突出部５１１，５１２は、装飾部品５が折り畳まれた状態では複数の切欠部５３２，５３３の前方に配置される（図４（ｂ）参照）。装飾部品５は紙で形成されている。このため、複数の突出部５１１，５１２は、複数の切欠部５３２，５３３の前方から後方に容易に押し込まれることができる。複数の突出部５１１，５１２は、収容部品３に取り付けられる前に複数の切欠部５３２，５３３の後方に押し込まれ、装飾部品５が収容部品３に取り付けられた状態（すなわち包装箱１の使用状態）では複数の切欠部５３２，５３３の後方に配置される（図４（ｃ）参照）。
【００３９】
遮蔽部材５２は、折曲部５５が設けられた端部に対向する対向端部から突出して折り曲げ可能に設けられた遮蔽突出部５２１を有している。遮蔽突出部５２１は、対向端部のほぼ中央に設けられている。図４（ｃ）に示すように、遮蔽突出部５２１は、装飾部品５が収容部品３に取り付けられる際に、接続部材５３に対向する方向に折り曲げられる。
【００４０】
（組み立て方法）
次に、包装箱１の組み立て方法、すなわち販売態様から使用態様への変更方法について図１から図４を参照しつつ、図５を用いて説明する。
【００４１】
図１に示す販売態様における包装箱１の蓋部３１を正面部３２側の斜め上方に引き上げながら蓋差込部３１３を挿入部３１１から引き抜いて、図２（ａ）に示すように、蓋部３１を立ち上げる。
【００４２】
次に、図２（ｂ）に示すように、関連商品９を器部３７１ｂ−１に入れたまま、中敷開口部３７１ａから容器部材３７１ｂを取り出す。
【００４３】
次に、図３（ａ）に示すように、中敷部材３７を右側面部３３側の斜め上方に引き上げながら中敷突出部３７３を挿入部３８１から引き抜いて、中敷部材３７を立ち上げる。さらに、フラップ部３８を左側面部３５側に立ち上げる。
【００４４】
次に、図３（ｂ）に示すように、収容部品３の中に収容されている商品７を取り出す。さらに、収容部品３の中に収容されている装飾部品５を取り出す。図示は省略するが、収容部品３に収容されている水引７１も商品７及び装飾部品５とともに取り出す。
【００４５】
次に、図４（ａ）に示す蛇腹折りにされている装飾部品５を、図４（ｂ）に示す直線状に伸ばす。次に、図４（ｃ）に示すように、２つの突出部５１２を２つの切欠部５３３の後方に押し込み、背景部材５１を接続部材５３に対してほぼ直交するように立ち上げる。背景部材５１は、折曲部５４において谷折りとなるように折り返される。
【００４６】
次に、折曲部５５において接続部材５３に対して遮蔽部材５２を山折りに折り返し、背景部材５１が立ち上がっている方向とは反対の方向に立ち下げる。次に、遮蔽突出部５２１を背景部材５１側に折り返す。
【００４７】
次に、図５（ａ）に示すように、収容部品３を販売態様の状態に戻した上で、装飾部品５の背景部材５１に設けられた複数の突出部５１１，５１２のうち、突出部５１１を挿入部３１１に挿入し、２つの突出部５１２を挿入部３１２に挿入する。複数の突出部５１１，５１２が挿入部３１１，３１２に挿入されると、突出部５１１は、正面部３２側から背面部３４側に向かって蓋差込部３１３に力を加え、２つの突出部５１２は、背面部３４側から正面部３２側に向かって力を加える。その結果、複数の突出部５１１，５１２は、蓋差込部３１３を挟んだ状態で挿入部３１１，３１２に設置される。さらに、複数の突出部５１１，５１２は、猫のキャラクターの画が表された部分に対して折り曲がらないように形成されている。これにより、背景部材５１は、収容部品３に対して屹立した状態で保持される。
【００４８】
次に、図５（ｂ）に示すように、折曲部５３１を伸ばした状態で接続部材５３を蓋部３１上に配置し、遮蔽突出部５２１を挿入部３２３に挿入しながら遮蔽部材５２を正面部３２の前面に設置する。これにより、収容部品３への装飾部品５の取り付けが完了する。
【００４９】
このように、収容部品３から装飾部品５を取り出し、折り曲げられた装飾部品５を引き延ばすとともに複数の突出部５１１，５１２を複数の切欠部５３２，５３３の後方に押し込み、複数の突出部５１１，５１２を挿入部３１１，３１２に挿入し、遮蔽突出部５２１を挿入部３２３に挿入することにより、商品７を飾るための展示台が完成する。このため、本実施形態による包装箱１は、複雑な組み立て作業を行わずに極めて容易な作業によって展示台を組み立てることができる。
【００５０】
展示台が完成したら、図１（ｂ）に示すように、接続部材５３上に商品７を配置し、水引７１を商品７の所定位置に取り付け、最後に関連商品９を商品７の上に例えば両面テープによって固定する。これにより、鏡餅が完成する。商品７及び関連商品９が乗せられる領域には、底面部３６側から中敷部材３７、蓋部３１及び接続部材５３が配置される。このように、包装箱１の構成要素のうち、相対的に重量の大きい商品７の下方に３つの部材が配置される。このため、包装箱１は、商品７が収容部品３の内側に沈み込んだりせずに安定して商品７及び関連商品９を展示できる。
【００５１】
以上説明したように、本実施形態による包装箱１は、販売対象の商品７を収容するとともに、商品７を上部に配置可能な収容部品３と、複数の突出部５１１，５１２を有し、複数の突出部５１１，５１２を挿入して収容部品３に取り付ける装飾部品５とを備えている。これにより、包装箱１は、複数の突出部５１１，５１２を収容部品３に挿入して取り付けることにより、商品７を展示するための展示台を組み立てることができる。このため、包装箱１は、販売態様から使用態様への変形作業の煩雑さを低減できる。
【００５２】
本考案は、上記実施形態に限られず、種々の変形が可能である。
上記実施形態による包装箱１は、使用態様において鏡餅として用いられるが、本考案はこれに限られない。本考案に係る包装箱は、例えば食品玩具や模型（例えばプラスチック製の組み立て式模型）などを包装する包装箱としても用いることができる。
本考案に係る包装箱を例えば食品玩具を包装する包装箱として用いる場合には、食品が販売対象の商品に相当し、玩具が関連商品に相当し、装飾部品には、玩具が模している物品に関連する画や写真などが表される。この装飾部品が取り付けられた収容部品上にこの玩具が展示される。
また、本考案に係る包装箱を例えば模型を包装する包装箱として用いる場合には、模型が販売対象の商品かつ関連商品に相当し、装飾部品には、模型が模している物品に関連する画や写真などが表される。この装飾部品が取り付けられた収容部品上にこの模型が展示される。
【００５３】
また、上記実施形態による包装箱１では、複数の突出部５１１，５１２のうちの突出部５１２は、蓋差込部３１３と背面部３４との間に生じる隙間で構成された挿入部３１２に挿入されるようになっているが、本考案はこれに限られない。例えば、突出部５１１が挿入される挿入部３１１のように、突出部５１２が挿入される挿入部が例えば蓋部３１に設けられていてもよい。
また、複数の突出部の個数は、３個に限られず、２個又は４個以上であってもよい。
【００５４】
上記実施形態による包装箱１では、開口部３２１は、蓋部３１及び正面部３２に跨って設けられているが本考案はこれに限られない。開口部３２１は、収容部品３に収容された商品７がどのような商品であるのかを確認できる大きさを有していれば、蓋部３１には設けられずに正面部３２に設けられていてもよいし、正面部３２には設けられずに蓋部３１に設けられていてもよい。
【００５５】
上記実施形態による包装箱１は、以下のようにまとめられる。
（付記１）
販売対象の商品を収容するとともに、前記商品を上部に配置可能な収容部品と、
複数の突出部を有し、前記複数の突出部を挿入して前記収容部品に取り付ける装飾部品と
を備える包装箱。
（付記２）
前記装飾部品は、前記複数の突出部が設けられ前記収容部品の背面側に取り付けられる背景部材を有する
付記１に記載の包装箱。
（付記３）
前記収容部品は、前記収容部品の内側を視認可能に開口する開口部を有し、
前記装飾部品は、前記収容部品に取り付けて前記内側が視認されないように前記開口部を遮蔽する遮蔽部材を有する
付記２に記載の包装箱。
（付記４）
前記装飾部品は、前記背景部材と前記遮蔽部材とを接続する接続部材を有する
付記３に記載の包装箱。
（付記５）
前記装飾部品は、
前記接続部材と前記背景部材との境界に設けられ前記接続部材に対して前記背景部材を折り曲げる第一折曲部と、
前記接続部材と前記遮蔽部材との境界に設けられ前記接続部材に対して前記遮蔽部材を折り曲げる第二折曲部とを有し、
前記接続部材は、前記第一折曲部及び前記第二折曲部に並列して設けられて前記接続部材を折り曲げる第三折曲部を有する
付記４に記載の包装箱。
（付記６）
前記収容部品は、前記上部に配置される中敷部材を有し、
前記中敷部材は、前記装飾部品に関連する関連商品を前記収容部品に保持する保持部を有する
付記１から５までのいずれか一項に記載の包装箱。
（付記７）
前記商品は、大きさの異なる平たい球状の２つの餅を重ね合わせた形状を模した餅入り容器であり、
前記関連商品は、橙の役割を有し、
前記収容部品は、三方の役割を有し、
前記装飾部品は、屏風の役割を有する
付記６に記載の包装箱。
（付記８）
前記収容部品は、
前記上部に設けられ前記商品が出し入れされる開放端を開閉可能に設けられた、前記複数の突出部のうちの一部が挿入される第一挿入部を有する蓋部と、
前記複数の突出部のうちの残部が挿入される第二挿入部と
を有する。
（付記９）
前記収容部品は、前記蓋部が接続された正面部と、前記正面部に対向して配置された背面部とを有し、
前記蓋部は、前記背面部の側で前記内部に差し込まれる蓋差込部を有し、
前記第二挿入部は、前記蓋差込部と前記背面部との間に設けられる。
（付記１０）
前記遮蔽部材は、前記第二折曲部が設けられた一の端部に対向する他の端部から突出して折り曲げ可能に設けられた遮蔽突出部を有し、
前記正面部は、前記遮蔽突出部が挿入される第三挿入部を有する。
（付記１１）
前記収容部品は、前記蓋部に対向して配置される底面部を有し、
前記第三挿入部は、前記正面部と前記底面部との境界に接して設けられている。
（付記１２）
前記開口部は、前記正面部に設けられている。
（付記１３）
前記開口部は、前記蓋部に設けられている。
（付記１４）
前記開口部は、前記正面部と前記蓋部とに跨って設けられている。
（付記１５）
前記収容部品は、前記開口部を塞ぐ透明部材を有する。
（付記１６）
前記保持部は、
一端が開放されて前記関連商品を入れる器部、及び前記一端の周囲に設けられた鍔部を有する容器部材と、
前記器部より大きくかつ前記鍔部よりも小さく形成され前記中敷部材を開口する中敷開口部と
を有する。
（付記１７）
前記収容部品は、前記上部に前記商品及び前記関連商品を配置した状態と同様の態様で前記商品及び前記関連商品を収容する。
（付記１８）
前記収容部品は、
前記正面部と前記背面部との間に配置された右側面部と、
前記正面部と前記背面部との間であって前記右側面部に対向して配置された左側面部と
を有し、
前記中敷部材は、前記右側面部及び前記左側面部のいずれか一方に一の端部で接続されており、前記一の端部に対向する他の端部から突出して折り曲げ可能に設けられた中敷突出部を有する。
（付記１９）
前記収容部品は、前記右側面部及び前記左側面部のいずれか他方に接続されたフラップ部を有し、
前記フラップ部は、前記中敷突出部が挿入される第四挿入部を有する。
（付記２０）
前記接続部材は、前記複数の突出部の外形に倣う形状に切り欠かれた複数の切欠部を有する。
（付記２１）
前記装飾部品は、前記正面部及び前記上部に跨って前記収容部品に取り付けられる。
（付記２２）
前記装飾部品は、前記第一折曲部、第二折曲部及び前記第三折曲部で蛇腹折りに折り畳まれた状態で前記収容部品に収容される。
（付記２３）
前記複数の突出部は、前記折り畳まれた状態では前記複数の切欠部の前方に配置され、前記装飾部品が前記収容部品に取り付けられた状態では前記複数の切欠部の後方に配置される。
【００５６】
上記の実施形態は、本考案の技術的思想を具体化するための装置を例示するものであって、本考案の技術的思想は、構成部品の材質、形状、構造、配置等を上記のものに特定するものでない。本考案の技術的思想は、実用新案登録請求の範囲に記載された請求項が規定する技術的範囲内において、種々の変更を加えることができる。
【符号の説明】
【００５７】
１  包装箱
３  収容部品
５  装飾部品
７  商品
９  関連商品
３１  蓋部
３２  正面部
３３  右側面部
３４  背面部
３５  左側面部
３６  底面部
３７  中敷部材
３８  フラップ部
５１  背景部材
５２  遮蔽部材
５３  接続部材
５４，５５，５３１  折曲部
７１  水引
３１１，３１２，３２３，３８１  挿入部
３１３  蓋差込部
３２１  開口部
３２２  透明部材
３７１  保持部
３７１ａ  中敷開口部
３７１ｂ  容器部材
３７１ｂ−１  器部
３７１ｂ−２  鍔部
３７２  切欠部
３７３  中敷突出部
５１１，５１２  突出部
５２１  遮蔽突出部
５３２，５３３  切欠部
【図１】
0003203282.tif 000003
【図２】
0003203282.tif 000004
【図３】
0003203282.tif 000005
【図４】
0003203282.tif 000006
【図５】
0003203282.tif 000007